(57)【要約】      （修正有）【課題】温度を保持する必要がある２つの異なる液体を、分離された部に液体を混合することなく、保持することができる２つのチャンバを有する魔法瓶を提供する。【解決手段】２つのチャンバを有するステンレススチール本体９と、ベース部１０と、ボディの上部に搭載されるノズル／ハンドル部８と、５つの部１〜５から成るキャップシステムと、キャップシステムが配置されるネック部７と、液体が注がれるようにするロック制御部６とを備える。２つのチャンバには異なる飲み物が入り、キャップシステムにより閉じられる。キャップシステムのボディ部５には、２つの異なるチャンバを開けることができる２つの穴部が設けられる。この部に搭載される回転可能ロック４により、ボディ部の開口から飛び出た後も該ピンが取り付けられたままの、ロック制御部６に搭載されるキーピン３により、ボディの異なる部が回転しながら開かれる。【選択図】図１
0003166745.tif 000002
【実用新案登録請求の範囲】
【請求項１】
ロックシステム（１）の上部と、液体ガイド（２）と、ロックピン（３）と、回転可能ロック（４）と、本体の２つの異なるチャンバに開口する穴部（５ａ、５ｂ）と、同じ出口から同時に同じ魔法瓶に収容される異なる飲み物を注ぐためのキャップシステムのボディ（５）と、ボディに位置する液体を注ぐことができ、５つの部からなるキャップシステム（１〜５）と、液体を注ぐことができるように設けられるロック制御部（６）と、開口（７ａ）を有し、キャップシステムが配置されるネック部と、ボディの上部に搭載され、ノズル部（８ａ）を有するノズル／ハンドル部（８）と、少なくとも２つのチャンバ（９ａ、９ｂ）およびボディを分離する部（９ｃ）を備える、２つの壁を有するステンレススチール本体（９）と、２つのチャンバを有する本体の底部に配置されるベース部（１０）と、を備える２つのチャンバを有する魔法瓶。
【請求項２】
ユーザが異なる飲み物をチャンバに満たすため、ボディ（９ｃ）に固定された部により２つに分割され、少なくとも２つのチャンバ（９ａ、９ｂ）からなる２つの壁を有する本体（９）が設けられる、請求項１に記載の２つのチャンバを有する魔法瓶。
【請求項３】
チャンバを別々に開閉し、液体を注ぐことを可能にし、５つの部からなるキャップシステム（１〜５）が設けられる、請求項１に記載の２つのチャンバを有する魔法瓶。
【請求項４】
ボディの異なるチャンバが開閉され、別々のチャンバに液体を注ぐことを可能にする回転可能キー（４）が設けられる、請求項１に記載の２つのチャンバを有する魔法瓶。
【請求項５】
本体（９ａ、９ｂ）の２つのチャンバには、異なる液体が満たされ、該チャンバは、キャップシステムにより閉じられる、請求項１に記載の２つのチャンバを有する魔法瓶。
【請求項６】
ボディの異なるチャンバは、ボディ部の開口から取出された後も該ピンが取り付けられるキー制御部（６）およびキーに取り付けられるキーピン（３）を介して、２つの異なるチャンバ（９ａ、９ｂ）に向かって開口する２つの穴部に搭載される、回転可能キー（４）を回すことにより開く、請求項１に記載の２つのチャンバを有する魔法瓶。
【請求項７】
回転可能キーの穴部（参照符号：４ａ）は、小チャンバ内の液体が注がれるための制御部（６）を回すことにより、キャップボディの穴部（参照符号：５ａ）に配置される、請求項１に記載の２つのチャンバを有する魔法瓶。
【請求項８】
回転可能キーの穴部（参照符号：４ｂ）は、大チャンバ内の液体が注がれるための制御部（６）を回すことにより、キャップボディの穴部（参照符号：５ｂ）に配置される、請求項１に記載の２つのチャンバを有する魔法瓶。
【請求項９】
液体は、キャップボディの開口（参照符号：５ｃ）およびネック部の開口（参照符号：７ａ）を通って、この順番で魔法瓶の外側から注がれる、請求項７および８に記載の液体流路の開口。
【請求項１０】
スムーズに液体を注ぐため、液体の流れを導くノズル／ハンドル部（８）のノズル部（８ａ）が設けられる、請求項９に記載の魔法瓶から液体を注ぐこと。
【請求項１１】
キャップボディの穴部（参照符号：５ｃ）へ液体を導くキャップシステム液体ガイド（２）が設けられる、請求項１に記載の２つのチャンバを有する魔法瓶。
【請求項１２】
キャップは、キャップシステムにおいて、キャップシステムの上部（１）を覆うことにより、本体のネック部（７）で閉じられる、請求項１に記載の２つのチャンバを有する魔法瓶。
【請求項１３】
異なる飲み物を同じ魔法瓶で同時に持ち運び、かつ該液体を同じノズルから別々に注ぐために、そして、キャップに残された飲み物を本体のチャンバに戻し、かつ１つのキャップシステムを異なる体積を有する魔法瓶に適応するため、キャップシステムの上部（２１）と、トップカバーに配置される隙間（２１ａ）と、トップカバーの中央の小穴部（２１ｂ）と、液体コレクタ（２２）と、液体コレクタの開口（２２ａ）と、キャップシステムのボディ（２３）と、キャップシステムの本体のフィルタ（２３ａ）と、回転可能キー（２４）と、回転可能キーの穴部（２４ａ、２４ｂ）と、キャップシステムの底部（２５）と、キャップのベース部の穴部（２５ａ、２５ｂ）と、キャップシステム（２１〜２５）と、二重壁を有する本体（２６）と、本体を２つの分離したチャンバに分割する部（２６ａ）と、本体に位置する、少なくとも２つのチャンバ（２６ｂ、２６ｃ）と、砂糖収納セル容器（２７）と、を備える二重チャンバを有する魔法瓶。
【請求項１４】
本体（２６）の底部に配置され、水平面をスライドすることにより開閉される砂糖収納セル容器（２７）が設けられる、請求項１３に記載の２つのチャンバを有する魔法瓶。
【請求項１５】
チャンバを別々に開閉でき、液体が混合することなく注がれ、５つの分離した部を備えるキャップシステムが設けられる、請求項１３に記載の２つのチャンバを有する魔法瓶。
【請求項１６】
傾斜上面および傾斜チャンネルがあるために、トップキャップ部の小穴部から来る液体が開口（２２ａ）に向き、液体は、液体が満たされたチャンバに戻るようにする液体コレクタ（２２）が設けられる、請求項１５に記載のキャップシステム。
【請求項１７】
ボディの異なるチャンバの開閉および該チャンバ内に液体が注がれることを可能にする回転可能キー（２４）が設けられる、請求項１３に記載の２つのチャンバを有する魔法瓶。
【請求項１８】
本体を変更しさえすれば異なる体積を有する魔法瓶を作成することができる、異なるサイズを有する本体に適切であるキャップシステム（２１〜２５）が設けられる、請求項１３に記載の２つのチャンバを有する魔法瓶。
【考案の詳細な説明】
【技術分野】
【０００１】
本考案は、２つのチャンバを有する魔法瓶に関する。
【０００２】
本考案は、ロックシステム（１）の上部と、液体ガイド（２）と、ロックピン（３）と、回転可能ロック（４）と、本体の２つの異なるチャンバに開口する穴部（５ａ、５ｂ）と、同じ出口から同時に同じ魔法瓶に収容される異なる飲み物を注ぐためのキャップシステムのボディ（５）と、ボディ上に位置する液体を注ぐことができ、５つの部から形成されるキャップシステム（１〜５）と、液体を注ぐことができるように設けられるロック制御部（６）と、開口（７ａ）を有し、キャップシステムが配置されるネック部，ボディの上部に設けられ、ノズル部（８ａ）を有するノズル／ハンドル部（８）と、少なくとも２つのチャンバ（９ａ、９ｂ）および本体を分離する部（９ｃ）を備える、２つの壁を有するステンレススチール本体（９）と、２つのチャンバを有する本体の底部に配置されるベース部（１０）と、を備える２つのチャンバを有する魔法瓶を提供する。
【０００３】
また、本考案は、異なる飲み物を同じ魔法瓶で同時に持ち運び、かつ該液体を別々に同じノズルから注ぐために、そして、キャップに残された飲み物を本体のチャンバに戻し、かつ１つのキャップシステムを異なる体積を有する魔法瓶に適応するため、キャップシステムの上部（２１）と、トップカバーに配置される隙間（２１ａ）と、トップカバーの中央の小穴部（２１ｂ）と、液体コレクタ（２２）と、液体コレクタの開口（２２ａ）と、キャップシステムのボディ（２３）と、キャップシステムの本体のフィルタ（２３ａ）と、回転可能キー（２４）と、回転可能キーの穴部（２４ａ、２４ｂ）と、キャップシステムの底部（２５）と、キャップのベース部の穴部（２５ａ、２５ｂ）と、キャップシステム（２１〜２５）と、二重壁を有する本体（２６）と、本体を２つの分離したチャンバに分割する部（２６ａ）と、本体に位置する、少なくとも２つのチャンバ（２６ｂ、２６ｃ）と、砂糖収納セル容器（２７）と、を備える二重チャンバを有する魔法瓶を提供する。
【背景技術】
【０００４】
市場で用いられている従来の魔法瓶では、１種類の液体しか保持できないが、本考案の製品は、従来の魔法瓶とは違って、該製品が有する２つの分離したチャンバに異なる飲み物を保持し、同じノズルで液体を別々に注ぐことが可能になる。
【０００５】
魔法瓶は、一方が他方内に配置される、２つのチャンバを備える。２つのチャンバ間の真空領域により実現される断熱効果により、チャンバ内の液体の温度が長時間一定になる。市場で流通する従来の魔法瓶は、全て、液体を入れておく１つのチャンバのみを有する。従って、お茶と熱湯またはコーヒーとミルクなど２つの異なる飲み物であれば、２つの異なる魔法瓶が必要である。本考案の製品により、２つの異なる液体を１つの魔法瓶だけで保持することができる。
【考案の概要】
【考案が解決しようとする課題】
【０００６】
本考案の主題である魔法瓶の目的は、既存の魔法瓶が有しない利用システムを開発することによって、温度を保持する必要がある２つの異なる液体を分離された部に液体を混合することなく保持することである。他の目的は、液体を注ぐ必要があるときに混合することなく液体を注ぐことである。
【０００７】
上記製品は、異なる体積を有する魔法瓶から成るモジュラーセットとして設計される。メインキャップシステムが異なるサイズを有する本体に適応可能であるので、異なる体積を有する魔法瓶が形成される。
【図面の簡単な説明】
【０００８】
【図１】第１実施例の本考案の製品の側断面図である。
【図２】第１実施例の本考案の製品（搭載されていない）を形成する部である。
【図３】第１実施例の本考案の製品のキャップ部の断面図である。
【図４】第１実施例の本考案の製品のキャップを形成する部（搭載されていない、上部および底から見た図）である。
【図５】第２実施例の本考案の製品の側断面図である。
【図６】第２実施例の本考案の製品（搭載されていない）を形成する部である。
【図７】第２実施例の本考案の製品のキャップ部の断面図である。
【図８】第２実施例の本考案の製品のキャップを形成する部（搭載されていない、上部および底から見た図）である。
【考案を実施するための形態】
【実施例１】
【０００９】
以下、本考案の第１実施例を説明する。
【００１０】
２つのチャンバを有する魔法瓶は、２つの壁を有するステンレススチール本体（９）と、ボディが配置されるベース部（１０）と、ボディの上部に搭載されるノズル／ハンドル部（８）と、ボディに液体が吸い付くことを可能とし、５つの部（１〜５）から成るキャップシステムと、キャップシステムが配置されるネック部（７）と、液体が注がれるようにするロック制御部（６）とを備える。
【００１１】
本考案の製品の最も基本的な特徴は、２つの壁を有する本体が２つのチャンバ（９ａ、９ｂ）を備えることである。本体は、ボディ（９ｃ）に接続する部を有する２つの部に分離され、その結果、ユーザは、これらのチャンバにお茶と熱湯のような異なる飲み物を入れることが可能になる。
【００１２】
２つのチャンバを有する本体が配置されるベース部（１０）が設けられる。
【００１３】
本考案の製品のキャップシステムにより、チャンバは別々に開閉でき、かつ液体を混合することなく注ぐことができる。キャップシステムは、５つの分離された部（１〜５）を備える。本システム内の回転可能ロック（４）により、ボディ内部の分離されたチャンバを開閉でき、かつチャンバ内の液体を注ぐことができる。
【００１４】
メイン部の２つのチャンバ（９ａ、９ｂ）には異なる飲み物が入り、キャップシステムにより閉じられる。キャップシステムのボディ部（５）には、２つの異なるチャンバ（９ａ、９ｂ）を開けることができる２つの穴部が設けられる。この部に搭載される回転可能ロック（４）により、ボディ部の開口から飛び出た後も該ピンが取り付けられたままの、ロック制御部（６）に搭載されるキーピン（３）により、ボディの異なる部が回転しながら開かれる。
【００１５】
回転可能ロック上の穴部（参照符号：４ａ）（図４）が、制御部（６）を回転することにより、キャップボディの穴部（参照符号：５ａ）に配置されると、本体の小チャンバに対して液体を注ぐ流路が開く。
【００１６】
同様に、回転可能キー上の穴部（参照符号：４ｂ）（図４）が、制御部を回すことにより、キャップボディの穴部（参照符号：５ｂ）（図４）に配置されると、本体内の大チャンバに対して液体を注ぐ流路が開く。液体流路が開くと、飲み物は、魔法瓶の外から、キャップボディの開口（参照符号：５ｃ）（図４）を通って、ネック部の開口（参照符号：７ａ）（図２）に注がれる。ノズル／ハンドル部（８）のノズル部（８ａ）により、液体の流れの向きが変えられることにより水がスムーズに注がれる。
【００１７】
キャップシステムの液体ガイド（２）により、液体は、キャップボディの穴部（参照符号：５ｃ）（図４）に向けられる。キャップシステムの上部（１）は、キャップシステムを覆う。該キャップは、本体のネック部（７）で閉じられる。
【実施例２】
【００１８】
以下、本考案の第２実施例を説明する。
【００１９】
二重チャンバを有する魔法瓶は、ステンレススチール本体と、ボディに満たされた液体を注ぐことが可能になるキャップシステムと、砂糖および／または甘味料を入れることができる、ボディに一体化した容器と、を備える。
【００２０】
本考案の製品の特徴の１つは、本体（２６）が２つのチャンバ（２６ｂ、２６ｃ）を備えることである。本体は、ボディに取付けられた部（２６ａ）により、２つに分離されたチャンバに分割される。この部により、分離されたチャンバにお茶および熱湯などの異なる飲み物を満たすことが可能である。砂糖および／または甘味料を入れることができ、本体（２６）の底部（２７）の水平面上をスライドすることにより開閉可能になるセルが設けられる。
【００２１】
本考案の製品のキャップシステムにより、これらの液体は、チャンバが別々に開放されることにより、混合することなく注ぐことが可能になる。キャップシステムは、５つの分離した部（図７および図８）を備える。キャップシステムの回転可能キー（２４）により、異なるチャンバの開閉が可能になる。
【００２２】
本体の２つの部（２６ｂおよび２６ｃ）は、異なる飲み物で満たされ、キャップシステムにより閉じられる。キャップシステムの底部（２５）に、本体の２つの異なるチャンバに向かって開く２つの穴部（２５ａ、２５ｂ）が設けられる。本体の小チャンバ内の液体を注ぐための流路は、回転可能キーの穴部（２４ａ）がキャップのベース部の穴部（２５ａ）に配置されたとき、この部分に搭載される回転可能キー（２４）を回すことにより、開放される。同様に、本体の大チャンバ内の液体を注ぐための流路は、回転可能キーの穴部（２４ｂ）がキャップのベース部の穴部（２５ｂ）に配置されたとき、この部分に搭載された回転可能キー（２４）を回すことにより、開放される。液体流路が開放されると、該液体が魔法瓶の外に注がれるが、その順番は、キャップシステムの本体のフィルタ（２３ａ）、液体コレクタの開口（２２ａ）、およびトップカバーの隙間（２１ａ）の順である。
【００２３】
キャップシステムのトップカバーの中心に設けられる小穴部（２１ｂ）が設けられる液体コレクタ部により、キャップに残された液体が本体のドリンクチャンバに移動可能になる。液体コレクタ部（２２）は、それ自身の傾斜した上面および傾斜した流路（２２ａ）により、該液体をこの小穴部から開口まで導き、かつ液体が、液体が満たされたチャンバに戻ることを可能にする。
【産業上の利用可能性】
【００２４】
本考案の多様性および利点
−２つの壁を有する本体の二重チャンバにより、２つの異なった液体を混合することなく保持できる。
−回転可能キーを伴う本考案の製品の開閉を可能にするキャップシステムにより、異なるチャンバ内の液体を同じノズルから注ぐことができる。
−液体コレクタと呼ばれる部およびキャップシステムのトップキャップの穴部により、キャップに残された液滴は、本体のチャンバに戻る。
−本製品は、異なる体積を有する魔法瓶のセットとして設計される。１つのキャップシステムのみが異なるサイズを有する本体に適用される結果、異なる体積を有する魔法瓶は本体を変えるだけで得ることができる。魔法瓶セットのこのモジュラとしての特徴により、製造が簡易になり、コスト面が大変有利になる。
【符号の説明】
【００２５】
（１）キャップシステムの上部
（２）キャップシステムの液体ガイド
（３）キーピン
（４）回転可能キー
（４ａ、４ｂ）キーの穴部
（５）キャップシステムのボディ
（５ａ−５ｂ）本体の２つの異なるチャンバを開放する穴部
（５ｃ）キャップボディの穴部
（５ｄ）ボディ部の穴部
（６）キー制御部
（７）ネック部
（７ａ）ネック部の開口
（８）ノズル／ハンドル部
（８ａ）ノズル／ハンドル部のノズル部
（９）２つの壁を有する本体
（９ａ、９ｂ）本体内の２つの部
（９ｃ）本体を２つの部に分割し、メイン部に固定される部
（１０）ベース部
（２１）キャップシステムの上部
（２１ａ）トップキャップの隙間
（２１ｂ）トップキャップの中心の小穴部
（２２）液体コレクタ
（２３）キャップシステムのボディ
（２３ａ）キャップシステムの本体のフィルタ
（２４）回転可能キー
（２４ａ、２４ｂ）回転可能キーの穴部
（２５）キャップシステムの底部
（２５ａ、２５ｂ）キャップベースの穴部
（２１〜２５）キャップシステム
（２６）二重壁を有する本体
（２６ａ）本体を２つの分離したチャンバに分割する部
（２６ｂ、２６ｃ）本体の２つの分離したチャンバ
（２７）砂糖収納セル容器
【図１】
0003166745.tif 000003
【図２】
0003166745.tif 000004
【図３】
0003166745.tif 000005
【図４】
0003166745.tif 000006
【図５】
0003166745.tif 000007
【図６】
0003166745.tif 000008
【図７】
0003166745.tif 000009
【図８】
0003166745.tif 000010
【手続補正書】
【提出日】平成23年1月12日(2011.1.12)
【手続補正１】
【補正対象書類名】実用新案登録請求の範囲
【補正対象項目名】全文
【補正方法】変更
【補正の内容】
【実用新案登録請求の範囲】
【請求項１】
ロックシステム（１）の上部と、液体ガイド（２）と、ロックピン（３）と、回転可能ロック（４）と、本体の２つの異なるチャンバに開口する穴部（５ａ、５ｂ）と、同じ出口から同時に同じ魔法瓶に収容される異なる飲み物を注ぐためのキャップシステムのボディ（５）と、ボディに位置する液体を注ぐことができ、５つの部からなるキャップシステム（１〜５）と、液体を注ぐことができるように設けられるロック制御部（６）と、開口（７ａ）を有し、キャップシステムが配置されるネック部と、ボディの上部に搭載され、ノズル部（８ａ）を有するノズル／ハンドル部（８）と、少なくとも２つのチャンバ（９ａ、９ｂ）およびボディを分離する部（９ｃ）を備える、２つの壁を有するステンレススチール本体（９）と、２つのチャンバを有する本体の底部に配置されるベース部（１０）と、を備える２つのチャンバを有する魔法瓶。
【請求項２】
ユーザが異なる飲み物をチャンバに満たすため、ボディ（９ｃ）に固定された部により２つに分割され、少なくとも２つのチャンバ（９ａ、９ｂ）からなる２つの壁を有する本体（９）が設けられる、請求項１に記載の２つのチャンバを有する魔法瓶。
【請求項３】
チャンバを別々に開閉し、液体を注ぐことを可能にし、５つの部からなるキャップシステム（１〜５）が設けられる、請求項１に記載の２つのチャンバを有する魔法瓶。
【請求項４】
ボディの異なるチャンバが開閉され、別々のチャンバに液体を注ぐことを可能にする回転可能キー（４）が設けられる、請求項１に記載の２つのチャンバを有する魔法瓶。
【請求項５】
本体（９ａ、９ｂ）の２つのチャンバには、異なる液体が満たされ、該チャンバは、キャップシステムにより閉じられる、請求項１に記載の２つのチャンバを有する魔法瓶。
【請求項６】
ボディの異なるチャンバは、ボディ部の開口から取出された後も該ピンが取り付けられるキー制御部（６）およびキーに取り付けられるキーピン（３）を介して、２つの異なるチャンバ（９ａ、９ｂ）に向かって開口する２つの穴部に搭載される、回転可能キー（４）を回すことにより開く、請求項１に記載の２つのチャンバを有する魔法瓶。
【請求項７】
回転可能キーの穴部（４ａ）は、小チャンバ内の液体が注がれるための制御部（６）を回すことにより、キャップボディの穴部（５ａ）に配置される、請求項１に記載の２つのチャンバを有する魔法瓶。
【請求項８】
回転可能キーの穴部（４ｂ）は、大チャンバ内の液体が注がれるための制御部（６）を回すことにより、キャップボディの穴部（５ｂ）に配置される、請求項１に記載の２つのチャンバを有する魔法瓶。
【請求項９】
液体は、キャップボディの開口（５ｃ）およびネック部の開口（７ａ）を通って、この順番で魔法瓶の外側から注がれる、請求項７または８に記載の２つのチャンバを有する魔法瓶。
【請求項１０】
スムーズに液体を注ぐため、液体の流れを導くノズル／ハンドル部（８）のノズル部（８ａ）が設けられる、請求項９に記載の２つのチャンバを有する魔法瓶。
【請求項１１】
キャップボディの穴部（５ｃ）へ液体を導くキャップシステム液体ガイド（２）が設けられる、請求項１に記載の２つのチャンバを有する魔法瓶。
【請求項１２】
キャップは、キャップシステムにおいて、キャップシステムの上部（１）を覆うことにより、本体のネック部（７）で閉じられる、請求項１に記載の２つのチャンバを有する魔法瓶。